(57)【要約】【課題】固定子を含む固定子部について、固定子部の剛性を高めて剛体化することによって、回転機の振動を抑制可能な回転機の固定子部を提供すること。【解決手段】回転機の固定子部３は、円筒形状体を含むヨーク部７ａとヨーク部７ａの内面から突出するティース部９とを含む固定子鉄心７と、固定子鉄心７の円筒外面７ｂに接する円筒内面１ｂとこの円筒内面１ｂに対して円筒外周に位置する円筒外周面１２とを含む固定子鉄心外装体１ａと、円筒外周面１２から突出し且つ固定子鉄心７の円筒形状体における仮想中心軸７ｄのアキシャル方向１１と同じ方向に柱状側面８ａを有する複数の柱状凸部８と、固定子鉄心７の円筒形状体における仮想中心軸７ｄのアキシャル方向１１と同じ向きに複数の柱状凸部８の各々を貫通する挿通孔２と、固定子鉄心外装体１ａの円筒外周面１２の周方向において、この円筒外周面１２から突出する鍔部６と、を含む。【選択図】図１
2020127322.tif 000002
【特許請求の範囲】
【請求項１】
円筒形状体を含むヨーク部と前記ヨーク部の内面から突出するティース部とを含む固定子鉄心と、前記固定子鉄心の円筒外面に接する円筒内面と前記円筒内面に対して円筒外周に位置する円筒外周面とを含む固定子鉄心外装体と、前記円筒外周面から突出し且つ前記固定子鉄心の円筒形状体における仮想中心軸のアキシャル方向と同じ方向に柱状側面を有する複数の柱状凸部と、前記固定子鉄心の円筒形状体における仮想中心軸のアキシャル方向と同じ向きに前記複数の柱状凸部の各々を貫通する挿通孔と、前記円筒外周面の周方向において前記円筒外周面から突出する鍔部と、を含む回転機の固定子部。
【請求項２】
前記鍔部の一部分と前記複数の柱状凸部の各々とが交差する交差部を含み、更に、前記鍔部と前記交差部の各々とを含む環状体が、前記円筒外周面に位置する構成を含む、請求項１記載の回転機の固定子部。
【請求項３】
前記固定子部が被固定部に固定される場合に、前記固定子鉄心外装体における両端面間の前記円筒外周面に、前記鍔部が位置する構成を含み、更に、前記固定子鉄心外装体における両端面間の寸法のうちの、前記固定子鉄心外装体における前記被固定部の側である一方の端面から７割の寸法の位置から、前記固定子鉄心外装体における他方の端面までの範囲に、前記鍔部が位置する構成を含む請求項１記載の回転機の固定子部。
【請求項４】
前記固定子部が被固定部に固定される場合に、前記固定子鉄心外装体における両端面間の前記円筒外周面に、前記鍔部が位置する構成を含み、更に、前記固定子鉄心外装体における両端面間の寸法のうちの、前記固定子鉄心外装体における前記被固定部の側である一方の端面から６割の寸法の位置から、前記固定子鉄心外装体における他方の端面までの範囲に、前記鍔部が位置する構成を含む請求項１記載の回転機の固定子部。
【請求項５】
前記複数の柱状凸部の各々における前記仮想中心軸のアキシャル方向と同方向の寸法と、前記固定子鉄心外装体における前記筒状形状体の両端面間の寸法とが等しい構成を含む請求項１に記載の回転機の固定子部。
【請求項６】
前記固定子鉄心は、複数のセグメントコアを円環状に連結する構造を含む請求項１記載の回転機の固定子部。
【請求項７】
請求項１、請求項２、請求項３、請求項４、請求項５又は請求項６のいずれかに記載の回転機の固定子部を搭載する装置。
【発明の詳細な説明】
【技術分野】
【０００１】
本発明は、回転機に含まれる固定子部に関する。
【背景技術】
【０００２】
近年、機器の静粛化が希求され、回転機等の部品の低騒音化の要求が顕著になってきた。例えば、特許文献１等には、固定子の外周部に凸部を設け、固定子を支持するフレームとの間に隙間を形成することで、固定子からフレームへの振動の伝達を低減することにより騒音を抑制する技術思想が記されている。しかし、固定子を支持するフレームとの間に隙間を形成することは、振動の伝播を緩和しているに過ぎず、回転機における振動の発生自体を抑制し得るものではない。
【０００３】
また、固定子部の共振周波数と回転機の駆動周波数との差が少ない場合や、固定子部の共振周波数と回転機の駆動周波数とがほぼ等しい場合は、振動の伝達を抑制する等の工夫だけでは、回転機の静粛化は不十分であった。
【０００４】
また、静粛化を図るための技術としては、固定子フレーム、固定子枠体又は固定子収容環状体などと呼称される外装体と固定子とを、焼きばめ、と呼称される工法によって、外装体と固定子とを一体化すると共に剛性を高めて剛体化し、共振周波数を高める等の手法が知られている。しかしながら、焼きばめ、という工程の追加や、この工程に要する設備については、新規な投資が必要になる等の理由で、経営的観点の課題を招くものである。
【先行技術文献】
【特許文献】
【０００５】
【特許文献１】特開２００２−２３３１０３号公報
【発明の概要】
【発明が解決しようとする課題】
【０００６】
本発明は、回転機に関して、特に、固定子を含む固定子部について、固定子部の剛性を高めて剛体化することによって、固定子を含む固定子部の共振周波数と回転機の駆動周波数とを大きく相違させ、回転機の振動を抑制可能な回転機の固定子部を提供することを課題とするものである。
【課題を解決するための手段】
【０００７】
上記課題を解決するために、第１の発明は、円筒形状体を含むヨーク部と前記ヨーク部の内面から突出するティース部とを含む固定子鉄心と、前記固定子鉄心の円筒外面に接する円筒内面と前記円筒内面に対して円筒外周に位置する円筒外周面とを含む固定子鉄心外装体と、前記円筒外周面から突出し且つ前記固定子鉄心の円筒形状体における仮想中心軸のアキシャル方向と同じ方向に柱状側面を有する複数の柱状凸部と、前記固定子鉄心の円筒形状体における仮想中心軸のアキシャル方向と同じ向きに前記複数の柱状凸部の各々を貫通する挿通孔と、前記円筒外周面の周方向において前記円筒外周面から突出する鍔部と、を含む回転機の固定子部である。
【０００８】
また、第２の発明は、第１の発明において、前記鍔部の一部分と前記複数の柱状凸部の各々とが交差する交差部を含み、更に、前記鍔部と前記交差部の各々とを含む環状体が、前記円筒外周面に位置する構成を含む、回転機の固定子部である。
【０００９】
また、第３の発明は、第１の発明において、前記固定子部が被固定子部に固定される場
合に、前記固定子鉄心外装体における両端面間の前記円筒外周面に、前記鍔部が位置する構成を含み、更に、前記固定子鉄心外装体における両端面間の寸法のうちの、前記固定子鉄心外装体における前記被固定子部の側である一方の端面から７割の寸法の位置から、前記固定子鉄心外装体における他方の端面までの範囲に、前記鍔部が位置する構成を含む回転機の固定子部である。
【００１０】
また、第４の発明は、第１の発明において、前記固定子部が被固定子部に固定される場合に、前記固定子鉄心外装体における両端面間の前記円筒外周面に、前記鍔部が位置する構成を含み、更に、前記固定子鉄心外装体における両端面間の寸法のうちの、前記固定子鉄心外装体における前記被固定子部の側である一方の端面から６割の寸法の位置から、前記固定子鉄心外装体における他方の端面までの範囲に、前記鍔部が位置する構成を含む回転機の固定子部である。
【００１１】
また、第５の発明は、第１の発明において、前記複数の柱状凸部の各々における前記仮想中心軸のアキシャル方向と同方向の寸法と、前記固定子鉄心外装体における前記筒状形状体の両端面間の寸法とが等しい構成を含む回転機の固定子部である。
【００１２】
また、第６の発明は、第１の発明において、前記固定子鉄心は、複数のセグメントコアを円環状に連結する構造を含む回転機の固定子部である。
【００１３】
また、第７の発明は、第１乃至第６の発明における回転機の固定子部を搭載する装置である。
【発明の効果】
【００１４】
本発明によれば、固定子部の剛性を高めて剛体化することによって、固定子を含む固定子部の共振周波数と回転機の駆動周波数とを大きく相違させ、回転機の振動を抑制可能であり、産業的価値の大なるものである。すなはち、固定子外装体の剛性を高めることによって、回転機の駆動周波数よりも、固定子部が有する固有の共振周波数をより高い周波数域へと移動させて、駆動時における固定子部にて生じる振動を抑制可能とするものである。
【図面の簡単な説明】
【００１５】
【図１】実施の形態１における固定子部の概要を示す斜視図
【図２】固定子部と被固定部との固定構造に関して第１例の概要を示す模式図
【図３】固定子部と被固定部との固定構造に関して第１例について有限要素法を用いて構造解析した結果を示す図
【図４】固定子部と被固定部との固定構造に関して第２例の概要を示す半断面斜視図
【図５】固定子部と被固定部との固定構造に関して第２例について有限要素法を用いて構造解析した結果を示す図
【図６】比較例における固定子の概要を示す斜視図
【図７】比較例における固定子部と被固定部との固定構造の概要を示す模式図
【発明を実施するための形態】
【００１６】
以下、本発明の実施の形態について、図面を参照して説明する。なお、以下に記す実施の形態によって本発明が限定されるものではない。
【００１７】
（実施の形態１）
図１は、本実施の形態における固定子の概要を示す斜視図である。図２は、固定子部と被固定部との固定構造に関して第１例の概要を示す模式図である。図３は、固定子部と被固定部との固定構造に関して第１例について有限要素法を用いて構造解析した結果を示す
図である。図４は、固定子部と被固定部との固定構造に関して第２例の概要を示す半断面斜視図である。図５は、固定子部と被固定部との固定構造に関して第２例について有限要素法を用いて構造解析した結果を示す図である。なお、図１においては、仮想中心軸７ｄ及びアキシャル方向１１を図示している。
【００１８】
図１に示す本実施の形態における回転機の固定子部３は、円筒形状体を含むヨーク部７ａとヨーク部７ａの内面から突出するティース部９とを含む固定子鉄心７と、ティース部９の一部分を磁心とする固定子巻線（図示無し）と、固定子鉄心７の円筒外面７ｂに接する円筒内面１ｂとこの円筒内面１ｂに対して円筒外周に位置する円筒外周面１２とを含む固定子鉄心外装体１ａと、円筒外周面１２から突出し且つ固定子鉄心７の円筒形状体における仮想中心軸７ｄのアキシャル方向１１と同じ方向に柱状側面８ａを有する複数の柱状凸部８と、固定子鉄心７の円筒形状体における仮想中心軸７ｄのアキシャル方向１１と同じ向きに複数の柱状凸部８の各々を貫通する挿通孔２と、固定子鉄心外装体１ａの円筒外周面１２の周方向において、この円筒外周面１２から突出する鍔部６と、を含む。そして、本実施の形態における回転機の固定子部３は、鍔部６の一部分と柱状凸部８の各々とが交差する交差部８ｃを含み、更に、鍔部６と交差部８ｃの各々とを含む環状体８ｂが、固定子鉄心外装体１ａの円筒外周面１２に位置する構成を含む。
【００１９】
なお、通例、固定子鉄心７と、この固定子鉄心７の筒内面へ突出するティース部９と、ティース部９の一部分を磁心とする固定子巻線（図示無し）と、とを含む構成を、固定子（以下では、固定子１と記す）と説明することが一般的である。本実施の形態にては、固定子鉄心外装体１ａと、固定子１とを含む構成を、回転機の固定子部３と記すことから、本実施の形態における記述の統一性を図ることを旨に、固定子部３という標記を主に用いて記述する。
【００２０】
図２は、第１例として、固定子部と被固定部との固定構造に関する模式図である。具体的には、固定子部３と被固定部４と締結ボルト５とを含む固定構造の概要を示すものである。固定子部３を被固定部４へ固定するには、締結ボルト５を固定子部３の挿通孔２の一方の孔部から挿通して、この締結ボルト５を被固定部４へ螺合させることによって固定する。
【００２１】
このとき、固定子部３と被固定部４とが当接する固定子部３の側の端面と、固定子部３と被固定部４とが当接する被固定部４の側の当接面とによって、固定部１０が構成される。なお、この固定部１０を含む構成は、所謂、片持ち、と呼称されるものであり、振動し易い構造である。本実施の形態においては、上記の片持ち、と呼称される構成に加えて、固定子鉄心外装体１ａの円筒外周面１２から突出する鍔部６を有し、この鍔部６によって、固定子鉄心外装体１ａの剛性が高められ、固定子部３としての全体構造において、円環状の共振の発生が抑制される。固定子部３の剛性を高めて剛体化することによって、固定子１を含む固定子部３の共振周波数と回転機の駆動周波数とを大きく相違させ、回転機の振動を抑制可能とするものである。
【００２２】
本実施の形態における固定子部３を含む回転機は、固定子部３に含む固定子１が具備するティース部９の先端と空隙を介して回転自在に支承される回転子（図示なし）を配置することによって構成される。ちなみに、回転機は、回転電機、電動機要素、電動機又はモータとも呼称される。
【００２３】
本実施の形態の有効性を確認するために、有限要素法を用いた構造解析を実施した。図３は、固定子部と被固定部との固定構造に関して、第１例について有限要素法を用いて構造解析した結果を示す図である。後述の説明に先立って、まず、仮想中心軸７ｄのアキシャル方向１１と同方向における固定子鉄心外装体１ａの寸法値を、固定子鉄心外装体１ａ
の長さ寸法（Ｌ）と定義する。また、この固定子鉄心外装体１ａの長さ寸法（Ｌ）は、本実施の形態における固定子鉄心外装体１ａにおいて柱状凸部８を省いた外形形状は直円柱状であり、固定子鉄心外装体１ａにおける両端面間の寸法値と等しい。
【００２４】
つぎに、図３に示すグラフについて、詳述する。図３に示すグラフは、固定子部３と被固定部４とが当接する固定部１０から鍔部６の位置までの寸法値（ｍ）を、上記の固定子鉄心外装体１ａの長さ寸法（Ｌ）の値で正規化した値（ｍ／Ｌ）と、その寸法値（ｍ）の位置に鍔部６を配置した場合における最も低い共振周波数（以下、一次共振周波数と呼ぶ）を算出した結果と、を交点とし、各交点間に曲線を描き視覚化したものである。なお、図３に示すグラフの横軸の値が０（零）である場合の固定子部３の構成は、鍔部６を具備しない構成を意味し、後述の比較例のケースに相当するものである。
【００２５】
図３に示すグラフに拠れば、鍔部６の配置する好適な箇所は、固定子鉄心外装体１ａにおける一方の端面であり且つ固定部１０が構成される端面の側を基点として、固定子鉄心外装体１ａの長さ寸法（Ｌ）の約７割（０．７）の位置から、固定子鉄心外装体１ａにおける他方の端面までの範囲であることが判る。図３のグラフにおいては、鍔部６の配置箇所を、固定部１０から隔てるほどに、一次共振周波数の周波数は大きな値へと変化する傾向があり、そして固定子鉄心外装体１ａの長さ寸法（Ｌ）の約７割（０．７）を超えると、一次共振周波数の値は、略一定の値を示す傾向があることが示される。
【００２６】
図３には、グラフの横軸の値として、０（零）、約０．１２、約０．２６、約０．４、約０．５３、約０．６７、約０．７５、約０．８２、約０．８８、約０．９５及び１．０の各値について、構造解析した結果が示されている。そして、一次共振周波数が高く且つ一定である範囲が、グラフの曲線の変化具合から、グラフの横軸の値として、約０．７以上であり、上限の値は、１．０である。なお、１．０が指し示す位置は、固定部１０と接する固定子鉄心外装体１ａの端面に対して他方側に位置する端面である。
【００２７】
図４は、第２例として、固定子部３と被固定部１３との固定構造に関する模式図である。具体的には、固定子部３と被固定部１３とを含む固定構造の概要を示すものである。なお、図４においては、締結ボルトの描画を省略し、図示は無い。さて、上述の第１例に対して、本第２例が相違する点は、被固定部１３に収容穴部１４を有する点である。そして、収容穴部１４における収容穴部内壁面１５と鍔部６の先端部である鍔部先端６ａとが当接する構造を構成する。そして、固定子部３を被固定部１３へ固定するには、締結ボルト（図示無し）を固定子部３の挿通孔２の一方の孔部から挿通して、この締結ボルト（図示無し）を被固定部１３へ螺合させることによって固定する。
【００２８】
このとき、固定子部３の被固定部１３に当接している片方側の端面と、被固定部１３の側の当接面とで固定部１０が構成されるが、この固定部１０を含む構成は、所謂、片持ち、と呼称されるものであり、振動し易い構造である。本実施の形態においては、上記の片持ち、と呼称される構成に加えて、固定子鉄心外装体１ａの円筒外周面１２から突出する鍔部６を有し、この鍔部６によって、固定子鉄心外装体１ａの剛性が高められ、固定子部３としての全体構造において、円環状の共振の発生が抑制される。すなはち、固定子部３の剛性を高めて剛体化することによって、固定子１を含む固定子部３の共振周波数と回転機の駆動周波数とを大きく相違させ、回転機の振動を抑制可能とするものである。
【００２９】
更に、第２例の固定構造においては、収容穴部１４における収容穴部内壁面１５と鍔部６の先端部である鍔部先端６ａとが当接する構成によって、固定子部３と被固定部１３との一体構成における剛体化も図られ、回転機の更なる低振動化が可能である。
【００３０】
上述の第１例と同様に、第２例の固定構造においても、有限要素法を用いた構造解析を
実施した。なお、本構造解析において、被固定部１３は、境界条件として考慮した。上述のとおり、仮想中心軸７ｄのアキシャル方向１１と同方向における固定子鉄心外装体１ａの寸法値を、固定子鉄心外装体１ａの長さ寸法（Ｌ）と定義する。また、この固定子鉄心外装体１ａの長さ寸法（Ｌ）は、本実施の形態における固定子鉄心外装体１ａにおいて柱状凸部８を省いた外形形状は直円柱状であり、固定子鉄心外装体１ａにおける両端面間の寸法値と等しい。
【００３１】
つぎに、図５に示すグラフについて、詳述する。図５に示すグラフは、固定子部３と被固定部４とが当接する固定部１０から鍔部６の位置までの寸法値（ｍ）を、上記の固定子鉄心外装体１ａの長さ寸法（Ｌ）の値で正規化した値（ｍ／Ｌ）と、その寸法値（ｍ）の位置に鍔部６を配置した場合における最も低い共振周波数（以下、一次共振周波数と呼ぶ）を算出した結果と、を交点とし、隣接する交点間に曲線を描き視覚化したものである。なお、図５に示すグラフの横軸の値が０（零）である場合の固定子部３の構成は、鍔部６を具備しない構成を意味し、後述の比較例のケースに相当するものである。
【００３２】
図５に示すグラフに拠れば、鍔部６の配置する好適な箇所は、固定子鉄心外装体１ａにおける一方の端面であり且つ固定部１０が構成される端面の側を基点として、固定子鉄心外装体１ａの長さ寸法（Ｌ）の約６割（０．６）の位置から、固定子鉄心外装体１ａにおける他方の端面までの範囲であることが判る。図３のグラフにおいては、鍔部６の配置箇所を、固定部１０から隔てるほどに、一次共振周波数の周波数は大きな値へと変化する傾向があり、そして固定子鉄心外装体１ａの長さ寸法（Ｌ）の約６割（０・６）を超えると、一次共振周波数の値は、略一定の値を示す傾向があることが示される。
【００３３】
なお、図５には、グラフの横軸の値として、０（零）、約０．１２、約０．２５、約０．３７、約０．５、約０．６２、約０．７５、約０．８８及び１．０の各値について、構造解析した結果が示されている。そして、一次共振周波数が高く且つ一定である範囲が、グラフの曲線の変化具合から、グラフの横軸の値として、約０．６以上であり、上限の値は、１．０である。なお、１．０が指し示す位置は、固定部１０と接する固定子鉄心外装体１ａの端面に対して位置する他方側の端面である。
【００３４】
上述のとおり、第１例及び第２例の固定構造の解析結果から、本実施の形態における固定子１を含む固定子部３の共振周波数と回転機の駆動周波数とを大きく相違させ、回転機の振動を抑制可能であることが、示される。
【００３５】
なお、本実施の形態における固定子鉄心７は、電磁鋼板を打ち抜き加工して得られる扇型のセグメントコアシートを複数積層して構成するセグメントコア７ｅを構成し、複数個のセグメントコア７ｅを円環状に配置し一体化して円環状の鉄心である固定子鉄心７を構成する。また、固定子鉄心７は、電磁鋼板を打ち抜き加工して得られる円環状の固定子コアシートを複数積層して構成する積層体でも良い。ちなみに、上記積層体の一体化を図るには、積層体の積層面に溶接を施す工法や、積層体の積層面に接着剤等を塗布する工法や、固定子コアシートの複数個所に一方面では凹み他方裏面側では凸状の膨らむ所謂「カラマセ」と呼称される突起を設けて、この凹みに対して凸状の膨らみを係合させることで固定子コアシート同士を一体化する等の工法が採用される。
【００３６】
そして、固定子１を固定子鉄心外装体１ａへ収容して、固定子１に含む固定子鉄心７の外筒面に固定子鉄心外装体１ａを固定（固接）する。この固定によって、固定子１と固定子鉄心外装体１ａとは一体化されて固定子部３が構成される。なお、この固定についての具体的な構成及び方法は、特に限定しない。
【００３７】
なお、上記の実施の形態は一例に過ぎず、本発明はこれに限定されず、適宜変更しても
良い。例えば、上記の実施の形態の構成の一部を公知の他の構成に置き換えてもよい。また上記の実施の形態で言及されていない構成は任意であり、例えば公知の構成を適宜選択して本発明と組み合わせても良い。
【００３８】
（比較例）
図６は、比較例における固定子部の概要を示す斜視図である。図６は、本比較例における固定子部３の概要を示す斜視図である。図７は、比較例における固定子部と被固定部との固定構造の概要を示す模式図である。本比較例の固定子部と上述の実施の形態１の固定子部との相違点は、実施の形態１における鍔部６を本比較例が有さない点である。図６に示す本比較例における回転機の固定子部１０３及び固定子１０１は、円筒形状体を含むヨーク部１０７ａとヨーク部１０７ａの内面から突出するティース部１０９とを含む固定子鉄心１０７と、ティース部１０９の一部分を磁心とする固定子巻線（図示無し）と、固定子鉄心１０７の円筒外面１０７ｂに接する円筒内面１０１ｂとこの円筒内面１０１ｂに対して円筒外周に位置する円筒外周面１１２とを含む固定子鉄心外装体１０１ａと、円筒外周面１１２から突出し且つ固定子鉄心１０７の円筒形状体における仮想中心軸１０７ｄのアキシャル方向１１１と同じ方向に柱状側面１０８ａを有する複数の柱状凸部１０８と、固定子鉄心１０７の円筒形状体における仮想中心軸１０７ｄのアキシャル方向１１１と同じ向きに複数の柱状凸部１０８の各々を貫通する挿通孔１０２と、を含む。
【００３９】
なお、本比較例における各構成要素は、各々相当する実施の形態１の各構成要素と同一の内容となるため、重複する記述等は割愛する。同様に、本比較例における固定子鉄心１０７及びセグメントコア１０７ｅを構成するセグメントコアシート等の各部構成は、実施の形態１における固定子鉄心７及びセグメントコア７ｅを構成するセグメントコアシート等の各部の構成と同一の内容となるため、重複する記述等は割愛する。
【００４０】
また、本比較例における固定子部と被固定部との固定構造は、図７の模式図にて示すとおりである。すなはち、固定子部１０３と被固定部１０４との固定構造は、固定子部１０３の挿通孔１０２の一方から締結ボルト１０５を挿通して被固定部１０４への螺合によって固定する。このとき、固定子部１０３の被固定部１０４に当接している片方側の端面と、被固定部１０４の側の当接面とで固定部１１０が構成されるが、この固定部１１０を含む構成は、所謂、片持ち、と呼称されるものである。更に、本比較例の場合には、この固定部１０が円環構造であるため、振動し易く、上述のとおり、本発明においては、課題として認識されるものである。
【００４１】
円環構造の空間次数ｎの共振周波数ｆｎは、例えば、式（１）として記す、Ｔｉｍｏｓｈｅｎｋｏの式というものが良く知られている。
【００４２】
【数１】
2020127322.tif 000003
式（１）において、Ｒは半径であり、Ｅは縦弾性係数であり、Ｉは断面二次モーメントであり、ρは単位周方向長さ当たりの質量である。式（１）によれば、円筒部の厚みを厚くすると、剛性は上がるものの質量も増加することとなり、共振周波数ｆｎは大きくは変化しないことが解る。すなはち、図６に示すように外周形状が円筒形状である場合は、首振りモード（空間次数ｎ＝１）や楕円モード（空間次数ｎ＝２）といった円環状の共振が
生じ易く、この円環状の共振に対しては十分な剛性を得ることも難しいことが解る。
【産業上の利用可能性】
【００４３】
本発明は、例えば、被固定部に、耐熱性の低い樹脂部品や熱履歴による歪等が生じ易い歯車等を含み且つ回転機に含む固定子部を締結ボルトによって被固定部へ固定する構成に適用可能である。
【符号の説明】
【００４４】
１  固定子
１ａ  固定子鉄心外装体
１ｂ  円筒内面
２  挿通孔
３  固定子部
４  被固定部
５  締結ボルト
６  鍔部
６ａ  鍔部先端
７  固定子鉄心
７ａ  ヨーク部
７ｂ  円筒外面
７ｄ  仮想中心軸
７ｅ  セグメントコア
８  柱状凸部
８ａ  柱状側面
８ｂ  環状体
８ｃ  交差部
９  ティース部
１０  固定部
１１  アキシャル方向
１２  円筒外周面
１３  被固定部
１４  収容穴部
１５  収容穴部内壁面
１０１  固定子
１０１ａ  固定子鉄心外装体
１０１ｂ  円筒内面
１０２  挿通孔
１０３  固定子部
１０４  被固定部
１０５  締結ボルト
１０７  固定子鉄心
１０７ａ  ヨーク部
１０７ｂ  円筒外面
１０７ｄ  仮想中心軸
１０７ｅ  セグメントコア
１０８  柱状凸部
１０８ａ  柱状側面
１０９  ティース部
１１０  固定部
１１１  アキシャル方向
１１２  円筒外周面
【図１】
2020127322.tif 000004
【図２】
2020127322.tif 000005
【図３】
2020127322.tif 000006
【図４】
2020127322.tif 000007
【図５】
2020127322.tif 000008
【図６】
2020127322.tif 000009
【図７】
2020127322.tif 000010